(57)【要約】  作業車両は、旋回軸を中心に旋回可能な旋回体と、旋回体の前部に取り付けられたスイングピンに連結されるスイングブラケットを有し、旋回軸と平行なスイング軸を中心に揺動可能な作業機と、スイングブラケットに連結されるロッドを有するスイングシリンダと、旋回体に配置されるシートと、を備える。旋回軸と直交する水平面内において前後軸及び前後軸と直交する左右軸が旋回体に規定される。シートの中心を通り前後軸と平行なシート中心線は、旋回軸を通り前後軸と平行な車体中心線よりも左に配置され、スイング軸は、車体中心線よりも右に配置される。ロッドの少なくとも一部は、シート中心線と一致する。
2019186710.tif 000002
【特許請求の範囲】
【請求項１】
旋回軸を中心に旋回可能な旋回体と、
前記旋回体の前部に取り付けられたスイングピンに連結されるスイングブラケットを有し、前記旋回軸と平行なスイング軸を中心に揺動可能な作業機と、
前記スイングブラケットに連結されるロッドを有するスイングシリンダと、
前記旋回体に配置されるシートと、を備え、
前記旋回軸と直交する水平面内において前後軸及び前後軸と直交する左右軸が前記旋回体に規定され、
前記シートの中心を通り前記前後軸と平行なシート中心線は、前記旋回軸を通り前記前後軸と平行な車体中心線よりも左に配置され、
前記スイング軸は、前記車体中心線よりも右に配置され、
前記ロッドの少なくとも一部は、前記シート中心線と一致する、
作業車両。
【請求項２】
前記スイングブラケットは、前記スイングピンの周囲に配置されるブラケット本体と、前記ブラケット本体から左に突出するスイングシリンダブラケットとを含み、
前記スイングシリンダの前記ロッドは、スイングシリンダトップピンを介して前記スイングシリンダブラケットに連結され、
前記スイングシリンダブラケットの少なくとも一部は、前記シート中心線と一致する、
請求項１に記載の作業車両。
【請求項３】
前記作業機は、前記スイングブラケットに連結されるブームを有し、
前記スイングシリンダは、前記ブームよりも左に配置される、
請求項１又は請求項２に記載の作業車両。
【請求項４】
前記旋回体の前部に取り付けられる前照灯を備え、
前記前照灯は、前記スイングブラケットよりも左に配置される、
請求項１から請求項３のいずれか一項に記載の作業車両。
【請求項５】
前記旋回体は、エンジンを有し、
前記シートは、前記エンジンの上方に配置される、
請求項１から請求項４のいずれか一項に記載の作業車両。
【請求項６】
前記前後軸と平行な方向において、前記シートの座席基準点を通り前記旋回軸と平行なシート基準線は、前記旋回軸よりも後に配置され、前記シートに着座する運転者の標準アイポイントは、前記旋回軸と前記シート基準線との間に配置され、
前記旋回体の前端部は、前記標準アイポイントと前記スイングブラケットの少なくとも一部とを結ぶ仮想線よりも下方に配置される、
請求項１から請求項５のいずれか一項に記載の作業車両。
【発明の詳細な説明】
【技術分野】
【０００１】
本発明は、作業車両に関する。
【背景技術】
【０００２】
作業車両に係る技術分野において、特許文献１に開示されているような、スイングシリンダを備える油圧ショベルが知られている。
【先行技術文献】
【特許文献】
【０００３】
【特許文献１】特開２００８−０８８７７６号公報
【発明の概要】
【発明が解決しようとする課題】
【０００４】
スイングシリンダにより作業機を揺動させるとき、運転者はスイングシリンダやスイングシリンダブラケットの状態を目視したいという要求がある。運転者がスイングシリンダやスイングシリンダブラケットの状態を目視しながら作業を実施することにより、作業性の向上が図られる。【０００５】
本発明の態様は、スイングシリンダを備える作業車両の作業性の向上を図ることを目的とする。
【課題を解決するための手段】
【０００６】
本発明の態様に従えば、旋回軸を中心に旋回可能な旋回体と、前記旋回体の前部に取り付けられたスイングピンに連結されるスイングブラケットを有し、前記旋回軸と平行なスイング軸を中心に揺動可能な作業機と、前記スイングブラケットに連結されるロッドを有するスイングシリンダと、前記旋回体に配置されるシートと、を備え、前記旋回軸と直交する水平面内において前後軸及び前後軸と直交する左右軸が前記旋回体に規定され、前記シートの中心を通り前記前後軸と平行なシート中心線は、前記旋回軸を通り前記前後軸と平行な車体中心線よりも左に配置され、前記スイング軸は、前記車体中心線よりも右に配置され、前記ロッドの少なくとも一部は、前記シート中心線と一致する、作業車両が提供される。
【発明の効果】
【０００７】
本発明の態様によれば、スイングシリンダを備える作業車両の作業性の向上を図ることができる。
【図面の簡単な説明】
【０００８】
【図１】図１は、本実施形態に係る作業車両の一例を示す斜視図である。
【図２】図２は、本実施形態に係る作業車両の一例を示す側面図である。
【図３】図３は、本実施形態に係るキャノピーを除いた状態の作業車両の一例を示す平面図である。
【図４】図４は、本実施形態に係るキャノピーを除いた状態の作業車両の動作の一例を示す平面図である。
【図５】図５は、本実施形態に係るキャノピーを除いた状態の作業車両の動作の一例を示す平面図である。
【図６】図６は、本実施形態に係る作業車両の一例を示す斜視図である。
【図７】図７は、本実施形態に係る標準アイポイントからの光学像の一例を模式的に示す図である。
【発明を実施するための形態】
【０００９】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１０】
［構造］
図１は、本実施形態に係る作業車両１の一例を示す斜視図である。図２は、本実施形態に係る作業車両１の一例を示す側面図である。図３は、本実施形態に係る作業車両１の一例を示す平面図である。本実施形態において、作業車両１は、油圧ショベルである。以下の説明においては、作業車両１を油圧ショベル１と称する。
【００１１】
図１、図２、及び図３に示すように、油圧ショベル１は、旋回軸ＴＸを中心に旋回可能な旋回体２０と、運転者が着座するシート２１と、運転者に操作される操作レバー２５と、旋回体２０に支持される作業機１０と、旋回体２０を支持する走行体３０と、走行体３０の前部に連結されるブレード４０とを備える。
【００１２】
旋回体２０は、走行体３０の上方に配置され、走行体３０に支持された状態で旋回軸ＴＸを中心に旋回する。
【００１３】
作業機１０は、旋回軸ＴＸと平行なスイング軸ＳＸを中心に揺動可能である。油圧ショベル１は、スイング可能な作業機１０を有するスイング式油圧ショベルである。
【００１４】
旋回体２０にローカル座標系が規定される。図３に示すように、ローカル座標系は、前後軸Ｘａ及び左右軸Ｙａを含む。前後軸Ｘａ及び左右軸Ｙａは、旋回軸ＴＸと直交する水平面に規定される。前後軸Ｘａ及び左右軸Ｙａは、水平面と平行である。旋回軸ＴＸと直交する水平面内において前後軸Ｘａと左右軸Ｙａとは直交する。また、前後軸Ｘａ及び左右軸Ｙａと旋回軸ＴＸとは直交する。
【００１５】
以下の説明においては、便宜上、前後軸Ｘａと平行な方向を前後方向とし、左右軸Ｙａと平行な方向を左右方向とし、旋回軸ＴＸと平行な方向を上下方向とする。
【００１６】
前後方向の一方が前であり他方が後である。前は、シート２１に着座した運転者の顔が向く方（作業機１０が存在する方）である。左右方向の一方が左であり他方が右である。左は、シート２１に着座した運転者の左手がある方である。
【００１７】
旋回体２０は、車体フレーム２７を有する。シート２１は、座面部２１Ａと背もたれ部２１Ｂとを有する。図３に示すように、水平面内において、車体フレーム２７の前端部は、直線状である。また、水平面内において、シート２１の座面部２１Ａの前端部は、直線状である。車体フレーム２７の前端部とシート２１の座面部２１Ａの前端部とは平行である。
【００１８】
本実施形態において、左右軸Ｙａは、車体フレーム２７の前端部及びシート２１の座面部２１Ａの前端部と平行であることとする。
【００１９】
また、シート２１に着座した運転者が真っ直ぐ前を見たとき、前後軸Ｘａは、運転者の視線と平行であることとする。
【００２０】
スイング軸ＳＸを中心とする回転方向において、作業機１０のスイング角が規定される。作業機１０は、スイング角０［°］を基準に左スイング及び右スイングすることができる。また、作業機１０は、ブーム回転軸ＷＸ１、アーム回転軸ＷＸ２、及びバケット回転軸ＷＸ３のそれぞれを中心に回転可能なブーム１１、アーム１２、及びバケット１３を有する。ブーム回転軸ＷＸ１、アーム回転軸ＷＸ２、及びバケット回転軸ＷＸ３は、水平面と平行である。また、走行体３０は、履帯３１と、履帯３１を支持する駆動輪及び従動輪とを有する。スイング角が０［°］であり、ブーム回転軸ＷＸ１、アーム回転軸ＷＸ２、及びバケット回転軸ＷＸ３と駆動輪の回転軸とが平行な状態において、前後軸Ｘａとブーム回転軸ＷＸ１、アーム回転軸ＷＸ２、及びバケット回転軸ＷＸ３とは、水平面内において直交する。
【００２１】
本実施形態において、車体中心線ＣＬ及びシート中心線ＳＬが旋回体２０に規定される。車体中心線ＣＬとは、旋回軸ＴＸを通り前後軸Ｘａと平行な線をいう。シート中心線ＳＬとは、シート２１の中心を通り、前後軸Ｘａと平行な線をいう。
【００２２】
シート２１の中心とは、座面部２１Ａの上面（座面）の中心をいう。シート中心線ＳＬは、座面の中心を通り左右軸Ｙａと直交する線である。なお、左右軸Ｙａと平行な方向におけるシート２１の中心は、座面部２１Ａの前端部の中心でもよい。
【００２３】
旋回体２０は、車体フレーム２７と、車体フレーム２７の上部に配置されるフロアプレート２２と、車体フレーム２７に支持されるシートフレーム２８及び支柱フレーム２９と、支柱フレーム２９に支持される支柱２４と、支柱２４に支持されるキャノピー２３とを有する。
【００２４】
車体フレーム２７は、作業機１０を支持する。車体フレーム２７の内部に、燃料タンク、油圧ポンプ、作動油タンク、及びバッテリのような複数の機器が配置される。
【００２５】
フロアプレート２２は、車体フレーム２７の上部に配置される。フロアプレート２２は、運転者が歩行可能な上面を有する。フロアプレート２２の前端部は、車体フレーム２７の前端部と結ばれる。フロアプレート２２の左端部は、車体フレーム２７の左端部と結ばれる。フロアプレート２２の右端部は、車体フレーム２７の右端部と結ばれる。
【００２６】
シートフレーム２８は、フロアプレート２２よりも後方に配置される。支柱フレーム２９は、シートフレーム２８よりも後方に配置される。シートフレーム２８及び支柱フレーム２９は、フロアプレート２２の上面よりも上方に突出する。
【００２７】
フロアプレート２２の左端部及び右端部のそれぞれに乗降空間が形成される。旋回体２０において、運転者は、フロアプレート２２の左端部及び右端部の両方から乗降することができる。旋回体２０は、左端部及び右端部の両側に乗降空間を有するウォークスルー構造である。
【００２８】
支柱２４は、支柱フレーム２９に支持される。支柱２４は、支柱フレーム２９から上方に突出する棒状の部材である。支柱２４は、シート２１の左側及び右側のそれぞれに１本ずつ配置される。支柱２４は、キャノピー２３を支持する。
【００２９】
キャノピー２３は、支柱２４に支持された状態で、シート２１の上方に配置される。
【００３０】
シート２１は、旋回体２０に配置される。シート２１は、シートフレーム２８の上部に配置される。
【００３１】
操作レバー２５は、旋回体２０に配置される。操作レバー２５は、シート２１に着座した運転者に操作される。操作レバー２５は、作業機１０の駆動のために操作される作業機レバー２５Ａと、走行体３０の駆動のために操作される走行レバー２５Ｂとを含む。
【００３２】
作業機レバー２５Ａは、シートフレーム２８に配置される。作業機レバー２５Ａは、シート２１の左側に配置される左作業機レバーと、シート２１の右側に配置される右作業機レバーとを含む。
【００３３】
走行レバー２５Ｂは、フロアプレート２２に配置される。走行レバー２５Ｂは、シート２１よりも前方に配置される。走行レバー２５Ｂは、左走行レバーと、左走行レバーよりも右に配置される右走行レバーとを含む。
【００３４】
油圧ショベル１は、フロアプレート２２の前端部に取り付けられる柵２と、旋回体２０の前部に取り付けられる前照灯３とを備える。柵２は、走行レバー２８Ｂよりも前方に配置される。前照灯３は、車体フレーム２７の前端部に取り付けられる。前照灯３は、柵２よりも前方に配置される。
【００３５】
作業機１０は、旋回体２０の前部に取り付けられたスイングピン５に連結される。スイングピン５は、上下方向に長い円柱状の部材である。スイング軸ＳＸは、スイングピン５の中心軸を含む。スイングピン５は、支持部材６を介して車体フレーム２７の前部に支持される。スイングピン５は、車体フレーム２７の前端部よりも前方に配置される。作業機１０は、スイングピン５を介して旋回体２０に支持される。
【００３６】
作業機１０は、スイングピン５に連結されるスイングブラケット１４と、スイングブラケット１４に連結されるブーム１１と、ブーム１１に連結されるアーム１２と、アーム１２に連結されるバケット１３とを有する。
【００３７】
スイングブラケット１４は、スイング軸ＳＸを中心に回転可能にスイングピン５に支持される。スイングブラケット１４は、スイングピン５の周囲に配置されるブラケット本体５１と、ブラケット本体５１から左に突出するスイングシリンダブラケット５０とを含む。
【００３８】
ブーム１１は、ブーム回転軸ＷＸ１を中心に回転可能にスイングブラケット１４に支持される。スイングブラケット１４とブーム１１とはピンを介して連結される。ブーム回転軸ＷＸ１は、スイング軸ＳＸと直交する水平面と平行である。
【００３９】
アーム１２は、アーム回転軸ＷＸ２を中心に回転可能にブーム１１に支持される。ブーム１１とアーム１２とはピンを介して連結される。アーム回転軸ＷＸ２は、ブーム回転軸ＷＸ１と平行である。
【００４０】
バケット１３は、バケット回転軸ＷＸ３を中心に回転可能にアーム１２に支持される。アーム１２とバケット１３とはピンを介して連結される。バケット回転軸ＷＸ３は、ブーム回転軸ＷＸ１及びアーム回転軸ＷＸ２と平行である。
【００４１】
作業機１０は、油圧シリンダによって作動する。油圧ショベル１は、ブーム１１を駆動するブームシリンダ１５と、アーム１２を駆動するアームシリンダ１６と、バケット１３を駆動するバケットシリンダ１７と、スイングブラケット１４を駆動するスイングシリンダ１８とを有する。
【００４２】
ブームシリンダ１５は、スイングブラケット１４に連結されるシリンダと、ブーム１１に連結されるロッドとを有する。ブームシリンダ１５のシリンダは、スイングブラケット１４の少なくとも一部にブームシリンダボトムピン４１Ａを介して連結され、ブームシリンダ１５のロッドは、ブームシリンダトップピン４１Ｂを介してブーム１１の少なくとも一部に連結される。ブームシリンダ１５が作動すると、ブーム１１の基端部がブーム回転軸ＷＸ１を中心に回転して、ブーム１１の先端部が上下方向に移動する。
【００４３】
アームシリンダ１６は、ブーム１１に連結されるシリンダと、アーム１２に連結されるロッドとを有する。アームシリンダ１６のシリンダは、ブーム１１の少なくとも一部にアームシリンダボトムピン４２Ａを介して連結され、アームシリンダ１６のロッドは、アームシリンダトップピン４２Ｂを介してアーム１２の少なくとも一部に連結される。アームシリンダ１６が作動すると、アーム１２の基端部がアーム回転軸ＷＸ２を中心に回転して、アーム１２の先端部が上下方向に移動する。
【００４４】
バケットシリンダ１７は、アーム１２に連結されるシリンダと、バケット１３に連結されるロッドとを有する。バケットシリンダ１７のシリンダは、アーム１２の少なくとも一部にバケットシリンダボトムピン４３Ａを介して連結され、バケットシリンダ１７のロッドは、バケットシリンダトップピン４３Ｂを介してバケット１３の少なくとも一部に連結される。バケットシリンダ１７が作動すると、バケット１３の基端部がバケット回転軸ＷＸ３を中心に回転して、バケット１３の先端部が上下方向に移動する。
【００４５】
スイングシリンダ１８は、車体フレーム２７に連結されるシリンダと、スイングブラケット１４に連結されるロッドとを有する。スイングシリンダ１８のシリンダは、車体フレーム２７の少なくとも一部にピンを介して連結され、スイングシリンダ１８のロッドは、スイングシリンダトップピン４４を介してスイングシリンダブラケット５０に連結される。スイングシリンダ１８が作動すると、スイングブラケット１４がスイング軸ＳＸを中心に回転して、ブーム１１がスイング軸ＳＸを中心に揺動する。ブーム１１がスイング軸ＳＸを中心に揺動することにより、アーム１２及びバケット１３が、ブーム１１と一緒に揺動する。
【００４６】
作業機１０がスイング軸ＳＸを中心に揺動すると、ブーム回転軸ＷＸ１，ＷＸ２，ＷＸ３は、水平面内において移動する。
【００４７】
図３に示すように、スイングシリンダブラケット５０は、ブラケット本体５１に固定され、ブラケット本体５１から左に突出する。スイングシリンダブラケット５０とスイングシリンダ１８のロッドとは、回転軸ＡＸを中心に相対回転する。回転軸ＡＸとスイング軸ＳＸとは平行である。回転軸ＡＸは、スイング軸ＳＸよりも左方に配置される。前後方向において、回転軸ＡＸは、スイング軸ＳＸよりも前方に配置される。
【００４８】
回転軸ＡＸは、車体中心線ＣＬよりも左方に配置される。前後方向において、回転軸ＡＸは、ブーム回転軸ＷＸ１と同一位置又はブーム回転軸ＷＸ１よりも前方に配置される。前後方向において、ブーム回転軸ＷＸ１は、スイング軸ＳＸよりも前方に配置される。
【００４９】
走行体３０は、一対の履帯３１を有する。履帯３１が回転することにより、油圧ショベル１が走行する。
【００５０】
図２及び図３に示すように、シートフレーム２８の上面は、フロアプレート２２の上面よりも上方に配置される。シート２１は、シートフレーム２８の上面に配置される。シート２１の大部分は、左右軸Ｙａよりも後方に配置される。
【００５１】
旋回体２０は、エンジン７を有する。エンジン７の一部は車体フレーム２７の内部に配置され、エンジン７の一部はシートフレーム２８の内部に配置される。図２に示すように、シート２１は、エンジン７の上方に配置される。水平面内において、シート２１の位置とエンジン７の少なくとも一部の位置とは一致する。
【００５２】
本実施形態において、作業車両１を上方から見たとき、シート中心線ＳＬは、車体中心線ＣＬよりも左に配置される。すなわち、シート２１は、車体中心線ＣＬよりも左にシフトした位置に配置される。本実施形態において、車体中心線ＣＬは、シート２１の右部を通過する。すなわち、シート２１の少なくとも一部の位置と車体中心線ＣＬの位置とは一致する。なお、シート２１の全部が、車体中心線ＣＬよりも左に配置されてもよい。
【００５３】
作業車両１を上方から見たとき、スイング軸ＳＸは、車体中心線ＣＬよりも右に配置される。スイングブラケット１４と連結されるブーム１１の基端部は、車体中心線ＣＬよりも右に配置される。左右軸Ｙａと平行な方向において、スイング軸ＳＸの位置とブーム１１の基端の位置とは一致する。スイングシリンダ１８は、ブーム１１よりも左に配置される。
【００５４】
スイングシリンダ１８のロッドの少なくとも一部は、シート中心線ＳＬと一致する。本実施形態においては、スイングシリンダ１８のロッドの先端部が、シート中心線ＳＬと一致する。
【００５５】
また、スイングシリンダブラケット５０の少なくとも一部は、シート中心線ＳＬと一致する。
【００５６】
また、スイングシリンダトップピン４４の少なくとも一部は、シート中心線ＳＬと一致する。
【００５７】
また、走行レバー２５Ｂの少なくとも一部は、シート中心線ＳＬと一致する。
【００５８】
すなわち、シート２１に着座した運転者の視線上に、スイングシリンダ１８のロッドの先端部、スイングシリンダブラケット５０、スイングシリンダトップピン４４、及び走行レバー２５Ｂが配置される。これにより、シート２１に着座した運転者は、スイングシリンダ１８のロッドの先端部及びスイングシリンダブラケット５０を十分に目視することができる。
【００５９】
また、前照灯３は、スイングブラケット１４よりも左に配置される。これにより、シート２１に着座した運転者は、前照灯３に遮られることなく、スイングシリンダ１８のロッドの先端部及びスイングシリンダブラケット５０を目視することができる。また、前照灯３がスイングシリンダ１８のロッドの先端部及びスイングシリンダブラケット５０を照明することにより、シート２１に着座した運転者は、夜間においても、スイングシリンダ１８のロッドの先端部及びスイングシリンダブラケット５０を十分に目視することができる。
【００６０】
図２に示すように、シート２１に座席基準点８（Seat  Index  Point：ＳＩＰ）が規定される。座席基準点８とは、ＩＳＯ５００６で定められ、理論上の運転者の胴と腿との関節の近傍に規定された座席の基準点をいう。
【００６１】
本実施形態において、シート基準線ＬＰが規定される。シート基準線ＬＰとは、シート２１の座席基準点８を通り旋回軸ＴＸと平行な線をいう。
【００６２】
シート基準線ＬＰは、旋回軸ＴＸよりも後に配置される。
【００６３】
また、本実施形態において、シート２１に着座する運転者の標準アイポイントＥＰが規定される。標準アイポイントＥＰとは、標準的な体格の運転者がシート２１に着座したときに想定される運転者の眼の位置をいう。標準アイポイントＥＰは、例えばシート２１に着座した複数の運転者の眼の位置から統計的に求められてもよい。
【００６４】
標準アイポイントＥＰは、旋回軸ＴＸとシート基準線ＬＰとの間に配置される。
【００６５】
旋回体２０の前端部は、標準アイポイントＥＰとスイングブラケット１４の少なくとも一部とを結ぶ仮想線ＶＬよりも後に配置される。本実施形態において、旋回体２０の前端部は、標準アイポイントＥＰとスイングシリンダブラケット５０とを結ぶ仮想線ＶＬよりも下方に配置される。つまり、旋回体２０の前端部は、仮想線ＶＬに干渉しない位置にある。これにより、シート２１に着座した運転者は、旋回体２０に遮られることなく、スイングシリンダ１８のロッドの先端部及びスイングシリンダブラケット５０を目視することができる。
【００６６】
［動作］
図４及び図５は、本実施形態に係る作業車両１の動作の一例を示す平面図である。図４は、旋回体２０を右旋回させるとともに、作業機１０を左スイングさせて、壁近傍の地面をバケット１３で掘削している例を示す。図５は、旋回体２０を左旋回させるとともに、作業機１０を右スイングさせて、壁近傍の地面をバケット１３で掘削している例を示す。
【００６７】
本実施形態において、図３に示したようなスイング角が０［°］の状態において、スイング軸ＳＸ及びブーム１１は、車体中心線ＣＬよりも右に配置される。スイングシリンダ１８は、ブーム１１よりも左に配置される。そのため、図４に示すように、旋回体２０を右旋回させ、作業機１０を左スイングさせても、履帯３１からのスイングブラケット１４の突出量ＲＴが抑制される。図４に示すように、壁と履帯３１とが平行な状態で、バケット１３の側面が壁に接近するように作業機１０及び旋回体２０が操作されても、スイングブラケット１４と壁との接触が抑制される。
【００６８】
また、図５に示すように、旋回体２０を左旋回させ、作業機１０を右スイングさせても、左旋回する旋回体２０の旋回角度が抑制されることにより、履帯３１からのスイングブラケット１４の突出量ＬＴが抑制される。図５に示すように、壁と履帯３１とが平行な状態で、バケット１３の側面が壁に接近するように作業機１０及び旋回体２０が操作されても、スイングブラケット１４と壁との接触が抑制される。
【００６９】
［効果］
以上説明したように、本実施形態よれば、シート中心線ＳＬが車体中心線ＣＬよりも左に配置され、スイング軸ＳＸが車体中心線ＣＬよりも右に配置され、左右方向において、スイングシリンダ１８のロッドの少なくとも一部がシート中心線ＳＬと一致する。これにより、シート２１に着座した運転者の視線上に、スイングシリンダ１８のロッドの先端部が配置され、シート２１に着座した運転者は、スイングシリンダ１８のロッドの先端部及びスイングシリンダブラケット５０を十分に目視することができる。
【００７０】
図６は、本実施形態に係る油圧ショベル１の一例を示す斜視図である。図６に示すように、例えば旋回体２０が左旋回した状態においても、シート２１に着座した運転者の視線上に、スイングシリンダ１８のロッドの先端部が配置される。これにより、運転者は、スイングシリンダ１８の状態を目視しながら作業を実施することができる。したがって、作業性の向上が図られる。
【００７１】
また、左右方向において、スイングシリンダブラケット５０の少なくとも一部がシート中心線ＳＬと一致する。これにより、シート２１に着座した運転者の視線上に、スイングシリンダ１８のロッドの先端部、スイングシリンダブラケット５０、及びスイングシリンダトップピン４４が配置される。そのため、運転者は、スイングシリンダ１８の状態及びスイングシリンダブラケット５０に対するスイングシリンダ１８のロッドの角度を目視しながら作業を実施することができる。したがって、作業性の向上が図られる。
【００７２】
また、スイング軸ＳＸ及びブーム１１の基端部は、車体中心線ＣＬよりも右に配置され、スイングシリンダ１８は、ブーム１１よりも左に配置される。これにより、図４及び図５を参照して説明したように、壁際の地面を掘削するときにおいて、スイングブラケット１４と壁との接触が抑制される。
【００７３】
前照灯３は、スイングブラケット１４よりも左に配置される。これにより、シート２１に着座した運転者は、前照灯３に遮られることなく、スイングシリンダ１８のロッドの先端部及びスイングシリンダブラケット５０を目視することができる。また、スイングシリンダ１８のロッドの先端部及びスイングシリンダブラケット５０が前照灯３で照明されることにより、シート２１に着座した運転者は、夜間においても、スイングシリンダ１８のロッドの先端部及びスイングシリンダブラケット５０を十分に目視することができる。
【００７４】
また、シート２１は、エンジン７の上方に配置される。フロアプレート２２の上面に対してシート２１が十分に高い位置に配置されるため、図６に示したように、シート２１に着座した運転者は、スイングシリンダ１８のロッドの先端部及びスイングシリンダブラケット５０を上から見下ろすように、十分に視認することができる。
【００７５】
また、旋回体２０の前端部は、標準アイポイントＥＰとスイングブラケット１４の少なくとも一部とを結ぶ仮想線ＶＬよりも下方に配置される。これにより、シート２１に着座した運転者は、旋回体２０に遮られることなく、スイングシリンダ１８のロッドの先端部及びスイングシリンダブラケット５０を目視することができる。
【００７６】
図７は、本実施形態に係る標準アイポイントＥＰからの光学像の一例を模式的に示す図である。図７に示すように、左右方向において、走行レバー２５Ｂの少なくとも一部、及び柵２がシート中心線ＳＬと一致する。標準アイポイントＥＰとスイングシリンダブラケット５０との間において、運転者の視線を妨げる物体は、走行レバー２５Ｂ及び柵２のみである。また、運転者は、姿勢を少し変えるだけで、スイングシリンダ１８のロッドの先端部も視認することができる。運転者はスイングシリンダ１８のロッドの先端部及びスイングシリンダブラケット５０を十分に目視することができるので、作業性の低下が抑制される。
【符号の説明】
【００７７】
１…油圧ショベル（作業車両）、２…柵、３…前照灯、５…スイングピン、６…支持部材、７…エンジン、８…座席基準点、１０…作業機、１１…ブーム、１２…アーム、１３…バケット、１４…スイングブラケット、１５…ブームシリンダ、１６…アームシリンダ、１７…バケットシリンダ、１８…スイングシリンダ、２０…旋回体、２１…シート、２１Ａ…座面部、２１Ｂ…背もたれ部、２２…フロアプレート、２３…キャノピー、２４…支柱、２５…操作レバー、２５Ａ…作業機レバー、２５Ｂ…走行レバー、２７…車体フレーム、２８…シートフレーム、２９…支柱フレーム、３０…走行体、３１…履帯、４０…ブレード、４１Ａ…ブームシリンダボトムピン、４１Ｂ…ブームシリンダトップピン、４２Ａ…アームシリンダボトムピン、４２Ｂ…アームシリンダトップピン、４３Ａ…バケットシリンダボトムピン、４３Ｂ…バケットシリンダトップピン、４４…スイングシリンダトップピン、５１…ブラケット本体、５０…スイングシリンダブラケット、ＡＸ…回転軸、ＣＬ…車体中心線、ＥＰ…標準アイポイント、ＬＰ…シート基準線、ＳＬ…シート中心線、ＳＸ…スイング軸、ＴＸ…旋回軸、ＶＬ…仮想線、ＷＸ１…ブーム回転軸、ＷＸ２…アーム回転軸、ＷＸ３…バケット回転軸。
【図１】
2019186710.tif 000003
【図２】
2019186710.tif 000004
【図３】
2019186710.tif 000005
【図４】
2019186710.tif 000006
【図５】
2019186710.tif 000007
【図６】
2019186710.tif 000008
【図７】
2019186710.tif 000009
【国際調査報告】
2019186710.tif 000010
2019186710.tif 000011